(57)【特許請求の範囲】
【請求項１】
液晶表示装置と、当該液晶表示装置の背面側に設けられた構成要素とを有する遊技機であって、
前記液晶表示装置に設けられた導光板の前記構成要素に対向する部分に開口が形成され、前記導光板の背面部分に、光の通過を遮断するスリット状の溝が前記開口を囲むようにして形成されていることを特徴とする遊技機。
【請求項２】
前記スリット状の溝は、鋸状又は三角波形状の連続する溝であることを特徴とする請求項１に記載の遊技機。
【請求項３】
前記スリット状の溝内に、光を吸収又は反射する材料で形成された遮光部材が嵌挿されていることを特徴とする請求項１又は２に記載の遊技機。
【請求項４】
前記スリット状の溝内に、光を吸収又は反射する樹脂が充填されていることを特徴とする請求項１又は２に記載の遊技機。
【請求項５】
前記導光板の前方に設けられた液晶パネル本体の、前記導光板の前記開口に対向する部分に、透明な透過部が形成されていることを特徴とする請求項１〜４のいずれか１項に記載の遊技機。
【請求項６】
液晶表示装置と、当該液晶表示装置の背面側に設けられた構成要素とを有する遊技機であって、
前記液晶表示装置に設けられた導光板の前記構成要素に対向する部分に開口が形成されると共に、前記導光板の背面側に前記開口を囲むようにして形成された第１のスリット状の溝と、前記導光板の前記液晶パネル本体の表示領域側に前記第１のスリット状の溝を囲むようにして形成された第２のスリット状の溝とを有し、前記第１，第２のスリット状の溝内に、光の通過を遮光する遮光部材が嵌挿されていることを特徴とする遊技機。
【請求項７】
前記第１のスリット状の溝内に嵌挿される遮光部材は、前記開口に対して明度差の小さな材料で形成されていることを特徴とする請求項６に記載の遊技機。
【請求項８】
前記第２のスリット状の溝内に嵌挿される遮光部材は、光を透過しない有彩色又は無彩色の材料で形成されていることを特徴とする請求項６又は７に記載の遊技機。
【請求項９】
前記第１，第２のスリット状の溝が、互いに深さ方向において重ねて形成されていることを特徴とする請求項６〜８の何れか１項に記載の遊技機。
【請求項１０】
前記第２のスリット状の溝に対する前記導光部材の背面に、外部からの光の入射を防止する遮光膜が形成されていることを特徴とする請求項６〜９の何れか１項に記載の遊技機。
【発明の詳細な説明】
【技術分野】
【０００１】
本発明は、例えばスロットマシン等の遊技機に関し、特に、演出表示を行う液晶表示装置を備えた遊技機に関する。
【背景技術】
【０００２】
遊技者にゲームをより楽しんでもらうため、演出表示を行う液晶表示装置を備えた遊技機が知られている。
【０００３】
例えば、遊技者の操作に従って、図柄の描かれた複数個の回胴リールを回転及び停止させ、揃った図柄の配列に応じて遊技メダルの払い出し等を行うスロットマシンにあっては、前面パネルの上側等に小型の液晶表示装置を設けたもの（例えば、特許文献１参照）から、近時、前面パネルのほぼ全領域に大型の液晶表示装置を設けたものへと展開が図られ、表示領域の拡大化によって視覚効果の高い演出表示を行うスロットマシンが遊技場等において出現している。
【０００４】
すなわち、特許文献１に開示されているいわゆる旧来の一般的なスロットマシンにあっては、複数個の回胴リールを収容している筐体に、前面パネルを有する前扉が取り付けられ、前面パネルの略中央領域に形成されている透明な透過窓を介して、遊技者が筐体内の複数個の回胴リールの動きや図柄を視認することが可能となっている。そして、前面パネルに化粧パネルとしての機能を発揮させ、更に透過窓の邪魔にならない部分、すなわち前面パネルの上側等に、演出表示を行う小型の液晶表示装置が設けられている。
【０００５】
これに対し、近時、遊技場等において出現している大型の液晶表示装置を備えたスロットマシンにあっては、大きな表示領域を有する透過型の液晶表示装置が前面パネルの略全面に取り付けられており、表示領域の拡大化に伴って、より臨場感等の得られる演出表示を行うことを可能にし、更に遊技者は透過型の液晶表示装置の表示領域を介して、筐体内に収容されている複数個の回胴リールの動きや図柄を見ることができるようになっている。
【０００６】
【特許文献１】特開２００３−２２０１７８号公報
【発明の開示】
【発明が解決しようとする課題】
【０００７】
ところで、上述の遊技場等において出現しているスロットマシンに設けられている透過型の液晶表示装置にあっては、表示領域と略同程度の大きさを有する導光板（ライトガイド）が液晶層の背面側に設けられると共に、導光板の背面全体に光反射シートや反射板が設けられ、更に陰極管等の光源が導光板の光入射端に設けられている。そして、光源から発せられる光を導光板で案内して、光反射シートや反射板で反射させることによって液晶層の背面側から面照射することにより、鮮明な演出表示を行うこととしている。
【０００８】
ところが、鮮明な演出表示を実現しようとして、導光板の背面全体に高反射率の光反射シートや反射板を設けることとすると、上述したように導光板の後方すなわち背面側（筐体側）に回胴リールが位置しているので、光反射シートや反射板が邪魔をして回胴リールが見難くなってしまうという問題がある。
【０００９】
また、回胴リールを見易くするため、導光板のうち回胴リールに面している背面部分には光反射シートや反射板を設けず、回胴リールに面していない背面部分だけに光反射シートや反射板を設けることとすると、光反射シートや反射板が設けられない導光板の露出部分から光が背面側に漏洩し、回胴リールの外周面を不要に照らしてしまう。このため、例えば、回胴リールの外周面に描かれている図柄等がいわゆる白ぼけの状態となって却って見難くなってしまう等の問題を生じる。
【００１０】
本発明は、こうした従来の問題点に鑑みてなされたものであり、液晶表示装置の背面側に例えば回胴リール等の構成要素が配置されても、液晶表示装置による鮮明な演出表示を行うと共に、液晶表示装置を介して当該構成要素をも鮮明に見ることが可能な構造を有する遊技機を提供することを目的とする。
【課題を解決するための手段】
【００１１】
請求項１に記載の発明は、液晶表示装置と、当該液晶表示装置の背面側に設けられた構成要素とを有する遊技機であって、前記液晶表示装置に設けられた導光板の前記構成要素に対向する部分に開口が形成され、前記導光板の背面部分に、光の通過を遮断するスリット状の溝が前記開口を囲むようにして形成されていることを特徴とする。
【００１２】
請求項２に記載の発明は、請求項１に記載の遊技機において、前記スリット状の溝は、鋸状又は三角波形状の連続する溝であることを特徴とする。
【００１３】
請求項３に記載の発明は、請求項１又は２に記載の遊技機において、前記スリット状の溝内に、光を吸収又は反射する材料で形成された遮光部材が嵌挿されていることを特徴とする。
【００１４】
請求項４に記載の発明は、請求項１又は２に記載の遊技機において、前記スリット状の溝内に、光を吸収又は反射する樹脂が充填されていることを特徴とする。
【００１５】
請求項５に記載の発明は、請求項１〜４のいずれか１項に記載の遊技機において、前記導光板の前方に設けられた液晶パネル本体の、前記導光板の前記開口に対向する部分に、透明な透過部が形成されていることを特徴とする。
【００１６】
請求項６に記載の発明は、液晶表示装置と、当該液晶表示装置の背面側に設けられた構成要素とを有する遊技機であって、前記液晶表示装置に設けられた導光板の前記構成要素に対向する部分に開口が形成されると共に、前記導光板の背面側に前記開口を囲むようにして形成された第１のスリット状の溝と、前記導光板の前記液晶パネル本体の表示領域側に前記第１のスリット状の溝を囲むようにして形成された第２のスリット状の溝とを有し、前記第１，第２のスリット状の溝内に、光の通過を遮光する遮光部材が嵌挿されていることを特徴とする。
【００１７】
請求項７に記載の発明は、請求項６に記載の遊技機において、前記第１のスリット状の溝内に嵌挿される遮光部材は、前記開口に対して明度差の小さな材料で形成されていることを特徴とする。
【００１８】
請求項８に記載の発明は、請求項６又は７に記載の遊技機において、前記第２のスリット状の溝内に嵌挿される遮光部材は、光を透過しない有彩色又は無彩色の材料で形成されていることを特徴とする。
【００１９】
請求項９に記載の発明は、請求項６〜８の何れか１項に記載の遊技機において、前記第１，第２のスリット状の溝が、互いに深さ方向において重ねて形成されていることを特徴とする。
【００２０】
請求項１０に記載の発明は、請求項６〜９の何れか１項に記載の遊技機において、前記第２のスリット状の溝に対する前記導光部材の背面に、外部からの光の入射を防止する遮光膜が形成されていることを特徴とする。
【発明の効果】
【００２１】
請求項１に記載の遊技機の発明によれば、導光板に入射される光をスリット状の溝によって開口側への通過を遮断し、開口から背面側への光の漏洩を防止する。このため、液晶表示装置の背面側に設けられた構成要素を不要に照明することを防止することができ、液晶表示装置を介して構成要素を鮮明に視認することが可能となる。
【００２２】
請求項２に記載の発明によれば、スリット状の溝を鋸状又は三角波形状の連続する溝とすることにより、導光板に入射される光を鋸状又は三角波形状のスリット状の溝の側壁で反射させることによって開口側への通過を遮断し、開口から背面側への光の漏洩を防止する。このため、液晶表示装置の背面側に設けられた構成要素を不要に照明することを防止することができ、液晶表示装置を介して構成要素を鮮明に視認することが可能となる。
【００２３】
請求項３に記載の発明によれば、スリット状の溝内に、光を吸収又は反射する材料で形成された遮光部材を嵌挿する構造とすることで、開口側への通過を遮断し、開口から背面側への光の漏洩を防止する。このため、液晶表示装置の背面側に設けられた構成要素を不要に照明することを防止することができ、液晶表示装置を介して構成要素を鮮明に視認することが可能となる。
【００２４】
請求項４に記載の発明によれば、スリット状の溝内に、光を吸収又は反射する樹脂を充填する構造とすることにより、開口側への通過を遮断し、開口から背面側への光の漏洩を防止する。このため、液晶表示装置の背面側に設けられた構成要素を不要に照明することを防止することができ、液晶表示装置を介して構成要素を鮮明に視認することが可能となる。
【００２５】
請求項５に記載の発明によれば、導光板の前方に設けられた液晶パネル本体の、導光板の開口に対向する部分に透明な透過部を設けた構造とすることで、液晶表示装置の背面側に設けられている構成要素を、該透過部を介して鮮明に見ることを可能にする。
【００２６】
請求項６に記載の発明によれば、導光板に入射される光をスリット状の溝によって開口側への通過を遮断し、開口から背面側への光の漏洩を防止する。このため、液晶表示装置の背面側に設けられた構成要素を不要に照明することを防止することができ、液晶表示装置を介して構成要素を鮮明に視認することが可能となる。
【００２７】
請求項７に記載の発明によれば、第１のスリット状の溝内に嵌挿される遮光部材を開口に対して明度差の小さな材料で形成することで、開口と第１のスリット状の溝との境界部分に、いわゆる縁取り状の縞を生じさせることなく、高品質の表示を実現することができる。
【００２８】
請求項８に記載の発明によれば、第２のスリット状の溝内に嵌挿される遮光部材を光を透過しない有彩色又は無彩色の材料で形成することにより、外部から光の入射を防止することができる。
【００２９】
請求項９に記載の発明によれば、第１，第２のスリット状の溝が互いに深さ方向において重ねて形成されて、夫々のスリット状の溝内に遮光部材が嵌挿されるため、開口と第１のスリット状の溝との境界部分にいわゆる縁取り状の縞を生じさせることなく、且つ、第２のスリット状の溝内に嵌挿される遮光部材によって外部から光の入射を防止することができる。
【００３０】
請求項１０に記載の発明によれば、遮光膜によって外部からの光の入射を防止することができる。
【発明を実施するための最良の形態】
【００３１】
以下、本発明の遊技機に係る実施の形態として、遊技場等に設置されるスロットマシンについて、図１乃至図１１を参照して説明する。
【００３２】
図１は、本実施形態のスロットマシンの外部構造を表した斜視図、図２は、本スロットマシンの内部構造を表した背面図である。図３乃至図７は、本スロットマシンに設けられている表示パネルユニットの構造を表した図である。図８は、表示パネルユニットに関する変形例（第１の変形例）の構造を表した図、図９乃至図１１は、更に表示パネルユニットに関する他の変形例（第２の変形例）の構造を表した図である。
【００３３】
まず、図１及び図２に基づいて、本実施形態のスロットマシン１の全体的な構造を説明すると、このスロットマシン１は、筐体２と、筐体２の前端部に開閉自在に取り付けられて遊技者に面する前扉３とを備えて構成されている。
【００３４】
前扉３には、図１に示すように、略中央部分に操作パネル部４が設けられ、操作パネル部４の上方に前面パネル部５、操作パネル部４の下方に遊技メダルを払い出すためのメダル受け皿６が設けられている。
【００３５】
操作パネル部４には、ベットボタン４ａ、メダル投入部４ｂ、スタートレバー４ｃ及び３個のストップボタン４ｄが設けられている。
【００３６】
前面パネル部５の上方には更に、クレジット枚数、ベット（ＢＥＴ）枚数、及びメダルの払い出し状況等を表示するための遊技状態表示部７が設けられている。
【００３７】
前面パネル部５には、当該前面パネル部５の略全面を外部から保護する長方形状の透明プラスチック板から成る保護板５ａが組み付けられ、保護板５ａの背面側に、当該保護板５ａの大きさと略同じ大面積の表示領域を有する後述の液晶表示装置としての透過型の液晶表示パネルＬＣＤが組み付けられ、液晶パネルＬＣＤの表示領域が保護板５ａを介して遊技者側に面している。
【００３８】
更に、詳細については後述するが、遊技者は保護板５ａの略中央部分に設けられている透過領域５ｂを介して、背面側に設けられている回胴リール装置１７を見ることが可能となっている。
【００３９】
前扉３の背面側には、図２に示すように、液晶表示パネルＬＣＤが設けられたバケット形状の表示パネルユニット８が上述の保護板５ａに対向して取り付けられる他、表示パネルユニット８の下方に、メダルセレクタ９と、フローシュート１０、払出しメダル案内部１１、及び演出用スピーカ１２ａ，１２ｂが取り付けられている。
【００４０】
ここで、表示パネルユニット８には、上述の透過領域５ｂに背面側から対向する長方形状の開口穴１３が形成されており、更に、液晶表示パネルＬＣＤの表示領域が保護板５ａ側に対向するようにして、表示パネルユニット８に対して液晶表示パネルＬＣＤが設けられている。
【００４１】
更に、表示パネルユニット８の所定部分には、回胴リール１７ａ，１７ｂ，１７ｃの外周面を照明する冷極管１４と、冷極管１４を駆動するためのインバータ回路基板１５と、主制御基板１８からの指示に従って図１の遊技状態表示部７と液晶表示パネルＬＣＤに画像データを供給して演出表示を行わせるサブ制御基板１６が設けられている。
【００４２】
筐体２内には、横３列の回胴リール１７ａ，１７ｂ，１７ｃを備えた回胴リール装置１７が設けられ、回胴リール装置１７の上方に、ゲームの進行と演出表示の制御を含む本スロットマシン１の動作全体を制御する主制御基板１８が設けられ、回胴リール装置１７の下方に、メダルホッパー１９とオーバーフロータンク２０及び電源装置２１が設けられている。
【００４３】
また、メダルホッパー１９の側端部に、払出しメダル案内部１１側へメダルを出力するメダル出力孔１９ａが設けられ、筐体２の前端部に、前扉３と係合する錠受け２ａ，２ｂが設けられている。
【００４４】
回胴リール装置１７は、前扉３が筐体２側に閉じられた際、横３列の回胴リール１７ａ，１７ｂ，１７ｃが表示パネルユニット８の開口穴１３に対向するように位置合わせして筐体２内に取り付けられている。
【００４５】
主制御基板１８は、図示していない配線ケーブルを介して、サブ制御基板１６、メダルセレクタ９、メダルホッパー１９、電源装置２１、操作パネル部４に設けられているベットボタン４ａとメダル投入部４ｂとスタートレバー４ｃ及びストップボタン４ｄ等に夫々電気的に接続されている。
【００４６】
次に、図３及び図４を参照して、前扉３の背面側に取り付けられている、液晶表示パネルＬＣＤを有する表示パネルユニット８の構造を説明する。
【００４７】
図３は、液晶表示パネルＬＣＤの表示領域側から見た場合の表示パネルユニット８の構造を表した分解斜視図、図４は、表示パネルユニット８の構造を背面側から見た場合の分解斜視図である。なお、図４では、便宜上、液晶表示パネルＬＣＤが省略して示されている。
【００４８】
図３において、表示パネルユニット８は、硬質プラスチックで成型された矩形状の支持フレーム２２と、支持フレーム２２の前端部にねじ止め等によって固定された液晶表示パネルＬＣＤと、支持フレーム２２の上端部に着脱自在に取り付けられたサブ制御基板１６とを備えて構成されている。
【００４９】
支持フレーム２２の上側部には、背面側に傾斜した斜面を有する凹形状の収容室２３が一体成型されており、収容室２３には、液晶表示パネルＬＣＤを駆動する駆動回路基板２４が収容されると共に、図示しない配線ケーブルを介して液晶表示パネルＬＣＤと駆動回路基板２４とが接続され、且つ駆動回路基板２４とサブ制御基板１６とが接続されている。
【００５０】
図１に示した前面パネル部５の背面には、保護板５ａが取り付けられた硬質プラスチックから成る矩形状の支持枠２５がねじ止め等によって強固に固着されている。更に、支持枠２５の上側部に一体成型されている係合突起２５ａ，２５ｂと支持フレーム２２に形成されている係合溝２２ａ，２２ｂとが係合され、更に支持フレーム２２の下端部と支持枠２５の下端部とがねじ止め固定されることにより、液晶表示パネルＬＣＤを備えた支持フレーム２２が支持枠２５の背面側に着脱可能に固着されている。
【００５１】
つまり、係合突起２５ａ，２５ｂと係合溝２２ａ，２２ｂとが着脱可能な蝶番構造と成っており、係合突起２５ａ，２５ｂに係合溝２２ａ，２２ｂを嵌め合わせ、更に支持フレーム２２の下端部と支持枠２５の下端部とをねじ止め固定することにより、表示パネルユニット８が支持フレーム２２に掛けた状態で固着されている。
【００５２】
また、支持枠２５は、液晶表示パネルＬＣＤの表示領域と略同じ大きさの矩形状の開口２５ｃを有し、当該開口２５ｃを介して、液晶表示パネルＬＣＤの表示領域ＤＳＰが保護板５ａ側に対向し且つ遊技者側に面するようになっている。
【００５３】
更に、支持フレーム２２には、図２に示した矩形状の開口穴１３が形成されている。すなわち、図４を参照して開口穴１３の構造を解りやすく述べると、支持フレーム２２は、液晶表示パネルＬＣＤが固着される矩形状の第１フレーム２２ａと、第１フレーム２２ａの背面に一体に組み付けらた矩形状の第２フレーム２２ｂとを備えて構成されており、第１フレーム２２ａと第２フレーム２２ｂとを一体に組み付けることにより、第１フレーム２２ａに形成されている矩形状の開口１３ａと第２フレーム２２ｂに形成されている矩形状の開口１３ｂとが連通した開口穴１３が形成されている。
【００５４】
また、第２フレーム２２ｂの上側部には、ブラケット（連結部材）２６ａ，２６ｂが固定されており、該ブラケット２６ａ，２６ｂ上にサブ制御基板１６が着脱可能に取り付けられ、更に、第２フレーム２２ｂの開口１３ｂより上方の背面部に、陰極管１４とインバータ回路基板１５が取り付けられている。
【００５５】
次に、図５乃至図７を参照して、液晶表示パネルＬＣＤの構造を説明する。
【００５６】
なお、図５は液晶表示パネルＬＣＤの分解斜視図、図６（ａ）は液晶表示パネルＬＣＤの縦断面構造を模式的に示した図、図６（ｂ）は液晶表示パネルＬＣＤに設けられている液晶パネル本体の構造を模式的に示した縦断面図、図７（ａ）（ｂ）（ｃ）は液晶表示パネルＬＣＤに設けられている導光板の構造を表した図である。
【００５７】
図５において、液晶表示パネルＬＣＤは、遊技者側に面する矩形状の前フレーム２７と背面側の後フレーム２８とを備え、前フレーム２７と後フレーム２８とを組み合わせることによって液晶表示パネルＬＣＤの筐体が構成されている。
【００５８】
前フレーム２７には、表示領域と略同形の矩形状の開口２７ａが形成されており、該開口２７ａの上側内壁と下側内壁に、バックライト用の光を導光板３５に入射する光源としての陰極管ＰＬ１，ＰＬ２が設けられている。
【００５９】
後フレーム２８には、支持フレーム２２に形成されている開口穴１３と対向する略同じ大きさの矩形状の開口２８ａが形成され、該開口２８ａを密閉する無色透明な保護シート（薄いプラスチックシート）２９が後フレーム２８の背面に接着されている。
【００６０】
更に、図５及び図６（ａ）に示すように、前フレーム２７と後フレーム２８とが組み合わされた上述の筐体内には、前フレーム２７側から順に、液晶パネル本体３０、透明な紫外線カットシート（ＵＶカットシート）３１、第１の光拡散シート３２、レンズシート３３、第２の光拡散シート３４、硬質プラスチックから成る導光板３５、半透明な第１，第２の反射シート３６，３７が積層されて収容され、これら各構成要素３０，３１，３２，３３，３４，３５，３６，３７は、全て前フレーム２７及び後フレーム２８と略同じ矩形状に形成されている。
【００６１】
ここで、液晶パネル本体３０には、支持フレーム２２に形成されている開口穴１３及び後フレーム２８に形成されている開口２８ａと対向する略同じ大きさの矩形状の枠体４０が設けられ、該枠体４０によって画成された矩形状の透過部ＳＰＣが透明な領域と成っている。
【００６２】
更に、紫外線カットシート３１と、第１の光拡散シート３２、レンズシート３３、第２の光拡散シート３４、導光板３５、第１，第２の反射シート３６，３７には、上述の支持フレーム２２の開口穴１３と後フレーム２８の開口２８ａ及び液晶パネル本体３０の透過部ＳＰＣに対向する略同じ大きさの矩形状の開口３１ａ，３２ａ，３３ａ，３４ａ，３５ａ，３６ａ，３７ａが形成されている。
【００６３】
液晶パネル本体３０は、図６（ｂ）の模式的な断面図に示すように、前方に面して相対向する一対の透明ガラス基板３８ａ，３８ｂの間に液晶３９が充填されて密封さており、透明ガラス基板３８ａの液晶３９側の面に、３原色カラーフィルタ（図示略）と、ＩＴＯ（Indium Tin Oxide）から成る透明電極群（図示略）が形成され、透明ガラス基板３８ｂの液晶３９側の面にコモン電極としての透明電極群（図示略）が形成されている。
【００６４】
そして、透明ガラス基板３８ａに形成されている透明電極群と透明ガラス基板３８ｂに形成されている透明電極群との間に駆動回路基板２４から画像形成用の駆動信号が印加され、液晶３９内に生じる電気光学効果によって演出画像が形成される。
【００６５】
更に注目すべき点として、一対の透明ガラス基板３８ａ，３８ｂの間に、上述の矩形状の開口を有する枠体４０が挟まれるようにして設けられている。そして、枠体４０の内壁と透明ガラス基板３８ａ，３８ｂとで画成された矩形状の透過部ＳＰＣ内には液晶が充填されておらず、枠体４０の外壁と透明ガラス基板３８ａ，３８ｂとで画成された外側領域内に液晶３９が充填されている。
【００６６】
このため、透明ガラス基板３８ａに形成されている透明電極群と透明ガラス基板３８ｂに形成されている透明電極群との間に駆動回路基板２４から画像形成用の駆動信号が印加されると、上述の液晶３９が充填されている外側領域には演出画像が形成され、上述の液晶が充填されていない透過部ＳＰＣ内には、駆動信号の印加の有無にかかわらず演出画像が形成されず常に透明の状態となる。
【００６７】
更に注目すべき点として、導光板３５には、図７（ａ）の背面図に示すように、上述の開口３５ａが形成されている他、開口３５ａの周囲の板面に、背面側から矩形状のスリット溝３５ｂが形成されており、更にスリット溝３５ｂ内に、図７（ｂ）の斜視図に示されているような光を吸収又は反射させるプラスチック材によって一体成型された矩形状の枠体から成る遮光部材４１が嵌挿されている。
【００６８】
すなわち、図７（ａ）中のＡ−Ａ線矢視界断面を表した図７（ｃ）に示すように、開口３５ａを取り巻くようにして導光板３５の背面側に形成されたスリット溝３５ｂ内に、同じく背面側から矩形状の遮光部材４１が嵌挿されており、陰極管ＰＬ１，ＰＬ２から発せられる光が導光板３５の外側端から内部に入射すると、その光は導光板３５内を伝播するが、遮光部材４１で吸収又は反射されることにより、開口３５ａから背面側へ漏洩しないようになっている。
【００６９】
そして、図６（ａ）に示したように、後フレーム２８に形成されている開口２８ａと支持フレーム２２に形成されている開口穴１３とを対向させて、液晶表示パネルＬＣＤが支持フレーム２２側に固定されている。更に、液晶表示パネルＬＣＤの表示領域を保護板５ａ側に向けて、支持フレーム２２が前面パネル部５の背面に固着されると共に、回胴リール１７ａ，１７ｂ，１７ｃの前方に支持フレーム２２が取り付けられている。
【００７０】
このように、支持フレーム２２が前面パネル部５の背面に取り付けられると、前扉３を筐体２側に閉じた際、回胴リール１７ａ，１７ｂ，１７ｃが支持フレーム２２の開口穴１３に対向する。更に、開口穴１３に対向する後フレーム２８の開口２８ａと、第１，第２の反射シート３６，３７の開口３６ａ，３７ａと、導光板３５の開口３５ａ、第２の光拡散シート３４の開口３４ａ、レンズシート３３の開口３３ａと、第１の光拡散シート３２の開口３２ａと、液晶表示パネル本体３０の矩形状の透過部ＳＰＣとによって、保護板５ａの略中央部分に設けられている透過領域５ｂが構成される。
【００７１】
このため、遊技者は透過領域５ｂを介して、液晶表示パネルＬＣＤの背面側に位置している回胴リール装置１７の回胴リール１７ａ，１７ｂ，１７ｃの動きや回胴リール１７ａ，１７ｂ，１７ｃの外周面に描かれている図柄を鮮明に見ることが可能となっている。
【００７２】
以上説明したように、本実施形態の遊技機１によれば、前面パネル部５の背面側に液晶表示パネルＬＣＤが設けられ、更に液晶表示パネルＬＣＤの背面側に回胴リール装置１７の回胴リール１７ａ，１７ｂ，１７ｃが配置されていても、液晶表示パネルＬＣＤには、回胴リール１７ａ，１７ｂ，１７ｃに対向する上述の透過部ＳＰＣと開口３１ａ，３２ａ，３３ａ，３４ａ，３５ａ，３６ａ，３７ａが設けられているため、これらの透過部ＳＰＣと開口３１ａ，３２ａ，３３ａ，３４ａ，３５ａ，３６ａ，３７ａとで構成される透過領域５ｂを介して、回胴リール１７ａ，１７ｂ，１７ｃの動きや回胴リール１７ａ，１７ｂ，１７ｃに描かれている図柄を遊技者に対し鮮明に視認させることができる。
【００７３】
また、陰極管ＰＬ１，ＰＬ２から導光板３５に入射した光を液晶パネル本体ＤＶ側へ反射して背面照射を行う第１，第２の反射シート３６，３７が導光板３５の背面側に設けられ、更に第１，第２の反射シート３６，３７には開口３６ａ，３７ａが形成されているため、液晶表示パネルＬＣＤが透過領域５ｂ以外の表示領域において臨場感の得られる多様な演出表示を行いつつ、同時に、回胴リール１７ａ，１７ｂ，１７ｃの動きや回胴リール１７ａ，１７ｂ，１７ｃに描かれている図柄を鮮明に視認させることができる。
【００７４】
また、導光板３５の背面側に、開口３５ａを取り巻くようにして矩形状のスリット溝３５ｂが形成され、更にスリット溝３５ｂ内に矩形状の遮光部材４１が嵌挿されているため、陰極管ＰＬ１，ＰＬ２から導光板３５に入射する光が遮光部材４１で吸収又は反射されることにより、開口３５ａから背面側へ漏洩しないようになっている。このため、陰極管ＰＬ１，ＰＬ２からの光が回胴リール１７ａ，１７ｂ，１７ｃの外周面を不要に照射することがなく、回胴リール１７ａ，１７ｂ，１７ｃの動きや回胴リール１７ａ，１７ｂ，１７ｃに描かれている図柄を鮮明に視認させることができる。
【００７５】
なお、以上に説明した液晶表示パネルＬＣＤにあっては、導光板３５に形成されたスリット溝３５ｂ内に遮光部材４１を嵌挿することによって、回胴リール１７ａ，１７ｂ，１７ｃ側への光の漏洩を防止する構造となっているが、他の構造によって光の漏洩を防止するようにしてもよい。
【００７６】
例えば、本実施形態の第１の変形例として、導光板３５の構造を図８に示す構造としてもよい。すなわち、図８は導光板３５の他の構造を表した背面図であり、同図８において、導光板３５の背面側に形成されているスリット溝３５ｃは、陰極管ＰＬ１，ＰＬ２から導光板３５に入射する光の進行方向に対して傾斜する鋸状や三角歯形状等の細かな凹凸状に形成されると共に、開口３５ａを囲むようにして連続して凹凸状に形成されている。
【００７７】
かかる構造によれば、陰極管ＰＬ１，ＰＬ２から導光板３５に入射する光は、スリット溝３５ｃに形成されている鋸状や三角歯形状等の凹凸状の側面で反射されて導光板３５内に戻るため、光が開口３５ａから背面側へ漏洩するのを防止することができ、回胴リール１７ａ，１７ｂ，１７ｃの動きや回胴リール１７ａ，１７ｂ，１７ｃに描かれている図柄を鮮明に視認させることができる。
【００７８】
なお、鋸状や三角形状の連続したスリット溝３５ｃ内に、光を反射又は吸収する遮光部材を嵌挿する構造としてもよい。
【００７９】
また、光を吸収する硬化樹脂（例えば、光を吸収する紫外線硬化樹脂等）を上述のスリット溝３５ｂと３５ｃ内に充填することにより、光が導光板３５の背面側に漏洩するのを防止する構造としてもよい。
【００８０】
また、スリット溝３５ｂ内に嵌挿する遮光部材４１を、アルミニウム等の金属粉や金属薄膜を混入したプラスチック樹脂で一体成型することにより、陰極管ＰＬ１，ＰＬ２から導光板３５に入射する光を反射させ、開口３５ａからの光の漏洩を防止するようにしてもよい。
【００８１】
また、上述のアルミニウム等の金属粉や金属薄膜とプラスチック樹脂との混合比率を適宜調整することによって、光を若干透過させる遮光部材４１を形成し、当該遮光部材４１をスリット溝３５ｂ内に嵌挿する構造としてもよい。かかる構造によれば、陰極管ＰＬ１，ＰＬ２から導光板３５に入射する光が回胴リール１７ａ，１７ｂ，１７ｃ側に若干漏洩することとなるが、回胴リール１７ａ，１７ｂ，１７ｃの外周面を強照度で照明しない程度の漏洩光となるように上述の混合比率を適宜調整することによって、漏洩光を回胴リール１７ａ，１７ｂ，１７ｃを照明するための照明光として有効利用することが可能である。
【００８２】
更に、本実施形態の第２の変形例として、導光板３５の構造を図９乃至図１１に示す構造としてもよく、以下その構造を説明する。
【００８３】
なお、図９（ａ）は、第２の変形例に関する導光板３５の構造を表した背面図、図９（ｂ）は、遮光部材の組み付け構造を模式的に表した斜視図、図１０は、遮光部材の形状を表した平面図、図１１は、導光板３５の断面構造を表した断面図である。
【００８４】
図９（ａ）において、導光板３５の背面側の板面に、所定の深さ及び幅を有する矩形状（本変形例では、長方形状）のスリット溝３５bbが形成される他、導光板３５の表示領域側の板面に、所定の深さ及び幅を有する矩形状（本変形例では、長方形状）のスリット溝３５bfが形成されている。
【００８５】
ここで、表示領域側の板面に形成されているスリット溝（以下「表示領域側スリット溝」と称する）３５bfと、背面側の板面に形成されているスリット溝（以下「背面側スリット溝」と称する）３５bbは、互いに並行に形成されると共に、表示領域側スリット溝３５bfが背面側スリット溝３５bbを囲むようにして形成されている。更に、背面側スリット溝３５bbの４辺が、図１に示した表示パネルユニット８の透過領域５ｂの外周の寸法に合わせられている。
【００８６】
そして、図９（ｂ）に模式的に示すように、表示領域側スリット溝３５bfの４辺の溝部内に、遮光部材ＦＵ，ＦＤ，ＦＬ，ＦＲが嵌挿され、背面側スリット溝３５bbの４辺の溝部内に、遮光部材ＢＵ，ＢＤ，ＢＬ，ＢＲが嵌挿されている。
【００８７】
ここで、表示領域側スリット溝３５bfに嵌挿される遮光部材ＦＵ，ＦＤは、図１０（ａ）（ｂ）の平面図にて示すように、表示領域側スリット溝３５bfの上下位置に平行且つ等しい長さで形成される上側と下側の溝部の長さＦLLと幅Ｗ及び深さＨに寸法合わせが成された板部材によって形成されている。更に、遮光部材ＦＬ，ＦＲも同様に、図１０（ｃ）（ｄ）の平面図にて示すように、表示領域側スリット溝３５bfの左右位置に平行且つ等しい長さで形成される左側と右側の溝部の長さＦLSと幅Ｗ及び深さＨに寸法合わせが成された板部材によって形成されている。
【００８８】
背面側スリット溝３５bbに嵌挿される遮光部材ＢＵ，ＢＤは、図１０（ｅ）（ｆ）の平面図にて示すように、背面側スリット溝３５bbの上下位置に平行且つ等しい長さで形成される上側と下側の溝部の長さＢLLと幅Ｗ及び深さＨに寸法合わせが成された板部材によって形成されている。更に、遮光部材ＢＬ，ＢＲも同様に、図１０（ｇ）（ｈ）の平面図にて示すように、背面側スリット溝３５bbの左右位置に平行且つ等しい長さで形成される左側と右側の溝部の長さＢLSと幅Ｗ及び深さＨに寸法合わせが成された板部材によって形成されている。
【００８９】
なお、遮光部材ＢＵ，ＢＤ，ＢＬ，ＢＲの各々の両端には、図１０（ｅ）（ｇ）に示すように、所定の曲率で湾曲形成されたテーパ面が形成されている。
【００９０】
そして、図９におけるＢ−Ｂ線矢視断面構造を表した図１１にて示すように、導光板３５の背面側に形成されている背面側スリット溝３５bb内に、遮光部材ＢＬ，ＢＲが背面側から嵌挿され、導光板３５の表示領域側に形成されている表示領域側スリット溝３５bf内に、遮光部材ＦＬ，ＦＲが表示領域側から嵌挿されている。更に、図１１には示されていないが、導光板３５の背面側に形成されている背面側スリット溝３５bb内に、遮光部材ＢＵ，ＢＤが背面側から嵌挿され、導光板３５の表示領域側に形成されている表示領域側スリット溝３５bf内に、遮光部材ＦＵ，ＦＤが表示領域側から嵌挿されている。
【００９１】
このように、遮光部材ＦＬ，ＦＲ，ＦＵ，ＦＤと遮光部材ＢＬ，ＢＲ，ＢＵ，ＢＤが各々のスリット溝３５bf，３５bb内に嵌挿されることで、図９（ｂ）に示したように組み付けられている。更に、遮光部材ＢＬ，ＢＲ，ＢＵ，ＢＤは、各々の両端に形成されている湾曲形状のテーパ面を外側にして組み付けられている。
【００９２】
ここで注目すべき点として、図１１に示すように、背面側スリット溝３５bbによって画成される長方形の内側領域が透明な開口３５ａとなっており、背面側スリット溝３５bbの外側領域の導光板３５の背面には、外部からの光の入射を遮光するための遮光膜ＳＤが塗設されている。すなわち、開口３５ａは、長方形の穴として形成されているのではなく、背面側スリット溝３５bbによって画成され且つ遮光膜ＳＤが塗設されていない透明な領域によって形成されている。
【００９３】
更に、遮光部材ＦＬ，ＦＲ，ＦＵ，ＦＤは、光を透過しない有彩色又は無彩色（本変形例では、黒色）のアクリル等のプラスチック材にて形成されており、遮光部材ＢＬ，ＢＲ，ＢＵ，ＢＤは、光透過率が小さく且つ開口３５ａに対して明度差が小さい有彩色又は無彩色（本変形例では、白色又は乳白色）のアクリル等のプラスチック材にて形成されている。
【００９４】
更に、図１１に示すように、表示領域側スリット溝３５bfと背面側スリット溝３５bbが深さ方向において重なっている。
【００９５】
そして、導光板３５がかかる構造を有することにより、次に述べる効果を発揮する。
【００９６】
まず、図１１に示すように、導光板３５の背面側に塗設された遮光膜ＳＤの形成領域内に、表示領域側スリット溝３５bbが形成され、そのスリット溝３５bb内に光を透過しない黒色等の遮光部材ＢＬ，ＢＲ，ＢＵ，ＢＤが嵌挿されて組み付けられているため、回胴リール１７ａ，１７ｂ，１７ｃを除く筐体内を表示させることなく、回胴リール１７ａ，１７ｂ，１７ｃだけを開口３５ａを介して、表示パネルユニット８の透過領域５ｂ側へ表示させることが可能となっている。
【００９７】
更に、背面側スリット溝３５bb内には、光透過率が小さく且つ開口３５ａに対して明度差が小さい白色又は乳白色の遮光部材ＢＬ，ＢＲ，ＢＵ，ＢＤが嵌挿されているため、遊技者等が表示パネルユニット８の透過領域５ｂ側から見たときに、開口３５ａと遮光部材ＢＬ，ＢＲ，ＢＵ，ＢＤとの境界部分に、いわゆる縁取り状の縞が見えないようになっている。つまり、遮光部材ＢＬ，ＢＲ，ＢＵ，ＢＤは、光透過率が小さく且つ開口３５ａに対して明度差が小さい白色又は乳白色であるため、開口３５ａと遮光部材ＢＬ，ＢＲ，ＢＵ，ＢＤとの境界部分の明視性を低下させることができ、上述の縞が見えないようになっている。このため、液晶パネル本体３０に表示される映像内に上述の縞が生じることなく、開口３５ａを介して回胴リール１７ａ，１７ｂ，１７ｃを表示させることができ、高品質且つ遊技者に対して違和感の無い表示を行うことができる。
【００９８】
更に、図１１に示したように、表示領域側スリット溝３５bfと背面側スリット溝３５bbとが深さ方向において重なるように形成され、更にこれらのスリット溝３５bf，３５bb内に遮光部材ＦＬ，ＦＲ，ＦＵ，ＦＤと遮光部材ＢＬ，ＢＲ，ＢＵ，ＢＤが嵌挿され、且つ遮光膜ＳＤの領域内に遮光部材ＦＬ，ＦＲ，ＦＵ，ＦＤに位置しているため、黒色の遮光部材ＦＬ，ＦＲ，ＦＵ，ＦＤであっても、黒色の縞が見えることはなく、液晶パネル本体３０に表示される映像と回胴リール１７ａ，１７ｂ，１７ｃとをいわゆる連続した映像として表示させることができ、高品質の表示を実現することができる等の効果を発揮する。
【００９９】
なお、以上に説明した第２の変形例では、スリット溝３５bf，３５bb内に、遮光部材ＦＬ，ＦＲ，ＦＵ，ＦＤと遮光部材ＢＬ，ＢＲ，ＢＵ，ＢＤを各々嵌挿させる構造としているが、これらの遮光部材と同様の光学的特性を有する紫外線効果樹脂や熱硬化樹脂等を各々のスリット溝３５bf，３５bb内に充填して固化させる構造としてもよい。
【０１００】
また、以上に説明した第１，第２の変形例を含む実施形態の説明では、液晶表示パネルＬＣＤの紫外線カットシート３１と、第１の光拡散シート３２、レンズシート３３、第２の光拡散シート３４、第１，第２の反射シート３６，３７に、開口３１ａ，３２ａ，３３ａ，３４ａ，３５ａ，３６ａ，３７ａを形成することとしているが、必ずしも、これらの紫外線カットシート３１と、第１の光拡散シート３２、レンズシート３３、第２の光拡散シート３４、第１，第２の反射シート３６，３７に開口を形成しなくともよい。
【０１０１】
また、好適な実施形態として、スロットマシンについて説明したが、本発明はスロットマシンに限定されるものではなく、液晶表示装置と、当該液晶表示装置の背面側に構成要素を有する遊技機全般に広く適用することが可能なものである。
【産業上の利用可能性】
【０１０２】
本発明に係る遊技機は、透過型の液晶表示装置を遊技者側に面して配置し、液晶表示装置の背面側に他の構成要素を配置する構造を有する遊技機に用いて有用であり、特に液晶表示装置により演出表示を行いつつ他の構成要素を視認可能とすることで効果的な演出を行う遊技機の実現に好適である。
【図面の簡単な説明】
【０１０３】
【図１】本発明の実施形態に係るスロットマシンの外観構造を表した斜視図である。
【図２】図1に示すスロットマシンの内部構造を表した背面図である。
【図３】図１及び図２に示したスロットマシンに内蔵されている液晶表示ユニットの構造を表した分解斜視図である。
【図４】図１及び図２に示したスロットマシンに内蔵されている液晶表示ユニットを背面側から見た場合の構造を表した分解斜視図である。
【図５】液晶表示ユニットに取り付けられている液晶表示パネルの構造を表した分解斜視図である。
【図６】液晶表示ユニットに取り付けられている液晶表示パネルの断面構造と、液晶表示パネルに設けられている液晶パネル本体の構造を模式的に表した断面図である。
【図７】液晶表示パネルに設けられている導光板の構造を表した背面図と、導光板に設けられている遮光部材の構造を表した斜視図と、遮光部材が設けられた導光板の一部分の断面形状を表した部分縦断面図である。
【図８】表示パネルユニットに設けられている導光板の変形例の構造を表した背面図である。
【図９】表示パネルユニットに設けられている更に他の導光板の変形例の構造を表した図である。
【図１０】図９に示した導光板に形成されている表示領域側スリット溝３５bfと背面側スリット溝３５bb内に嵌挿される遮光部材の形状を表した平面図である。
【図１１】図９に示した導光板の断面構造を模式的に表した断面図である。
【符号の説明】
【０１０４】
１…スロットマシン
１７…回胴リール装置
３５…導光板
３５ａ…開口
３５ｂ，３５ｃ…スリット溝
４１…遮光部材
ＬＣＤ…液晶表示パネル
３５bf…表示領域側スリット溝
３５bb…背面側スリット溝
ＦＵ，ＦＤ，ＦＬ，ＦＲ，ＢＵ，ＢＤ，ＢＬ，ＢＲ…遮光部材
ＳＤ…遮光膜
【図１】
0004627174.tif 000002
【図２】
0004627174.tif 000003
【図３】
0004627174.tif 000004
【図４】
0004627174.tif 000005
【図５】
0004627174.tif 000006
【図６】
0004627174.tif 000007
【図７】
0004627174.tif 000008
【図８】
0004627174.tif 000009
【図９】
0004627174.tif 000010
【図１０】
0004627174.tif 000011
【図１１】
0004627174.tif 000012